(57)【要約】【課題】コンパレータ回路を構成する差動アンプ回路がリニア動作領域をはずれるほどアンプ回路の出力コモン電圧が所望のある基準電圧から大きくはずれた場合でも、アンプ回路の出力コモン電圧が所望のある基準電圧に高速に復帰することを実現することを目的とする。【解決手段】本発明のコモンフィードバック回路は、アンプ回路とコンパレータ回路から構成されるコモンフィ−ドバック回路において、コンパレータ回路を構成する差動アンプ回路の出力部に第１の電流源を追加し、更に前記のコンパレータ回路の最終出力部に第２の電流源を追加する。【選択図】図１
2006115082.tif 000002
【特許請求の範囲】
【請求項１】
アンプ回路とコンパレータ回路から構成されるコモンフィ−ドバック回路において、
コンパレータ回路を構成する差動アンプ回路の出力部に第１の電流源を追加し、更に前記コンパレータ回路の最終出力部に第２の電流源を追加したことを特徴とするアンプ出力のコモンフィードバック回路。
【発明の詳細な説明】
【技術分野】
【０００１】
本発明はCCDカメラを用いたデジタルスチルカメラ、ビデオカメラ、携帯電話、監視カメラなどにおけるアナログ信号処理部のアンプ回路に要求されるモード設定や電流設定などの切り替わり時などの過渡的動作時におけるアンプ回路の出力コモン電圧が所望のある基準電圧に高速に復帰するのに有効なコモンフィードバック回路に関するものである。
【背景技術】
【０００２】
以下、従来のアンプ回路出力のコモンフィードバック回路について説明する。
【０００３】
図２は従来のアンプ回路出力のコモンフィードバック回路図であり、Ｍ１からＭ１０で構成される１はコンパレータ回路、２はアンプ回路である（特許文献１参照）。
【０００４】
以上のように構成されたアンプ回路出力のコモンフィードバック回路について説明する。
【０００５】
アンプ回路出力のコモンフィードバック回路は、アンプ回路の出力の中点つまりアンプ回路の出力コモン電圧を所望のある基準電圧にする為の回路である。
【０００６】
前記コンパレータ回路１で、前記アンプ回路２の出力コモン電圧と所望のある基準電圧とのズレを検出し、かつそのズレ量を補正する動作を繰り返し実施する事で前記アンプ回路２の出力コモン電圧を所望のある基準電圧にすることを実現する。
【特許文献１】特開２０００−３２３９４０号公報
【発明の開示】
【発明が解決しようとする課題】
【０００７】
しかしながら上記従来の構成ではモード設定や電流設定などの切り替わり時などの過渡的動作時において、前記コンパレータ回路１を構成する差動アンプ回路がリニア動作領域をはずれるほど前記アンプ回路２の出力コモン電圧が所望のある基準電圧から大きくはずれた場合、前記コンパレータ回路１を構成するカレントミラー回路のゲートである点Ａの電位変動が大きくなる為に前記アンプ回路２の出力コモン電圧が所望のある基準電圧に復帰するのに時間がかかる。
【０００８】
特に前記アンプ回路２の出力コモン電圧が所望のある基準電圧より高くなり、かつ前記コンパレータ回路１を構成する差動アンプ回路がリニア動作領域をはずれた場合などは、
前記コンパレータ回路１を構成する差動アンプ回路の出力電流Ｉｘがゼロになりゲート電位点ＡがＶＤＤとなる為、前記コンパレータ回路１を構成するカレントミラー回路のゲート電位点Ａの復帰にかなりの時間を要する為に、前記アンプ回路２の出力コモン電圧が所望のある基準電圧に復帰するのにかなりの時間がかかるという問題があった。
【０００９】
本発明は上記従来の問題点を解決するもので、ある一定の微小な電流を前記コンパレータ回路１に追加することで、モード設定や電流設定などの切り替わり時などの過渡的動作時において、前記アンプ回路２の出力コモン電圧が所望のある基準電圧に高速に復帰することを実現することを目的とする。
【課題を解決するための手段】
【００１０】
この目的を達成するために本発明のコモンフィードバック回路は、アンプ回路とコンパレータ回路から構成されるコモンフィ−ドバック回路において、コンパレータ回路を構成する差動アンプ回路の出力部に第１の電流源を追加し、更に前記コンパレータ回路の最終出力部に第２の電流源を追加することでモード設定や電流設定などの切り替わり時などの過渡的動作時において、前記アンプ回路２の出力コモン電圧が所望のある基準電圧に高速に復帰することを実現することを特徴とする構成を有している。
【発明の効果】
【００１１】
この構成によって、モード設定や電流設定などの切り替わり時などの過渡的動作時におけるアンプ回路の出力コモン電圧が所望のある基準電圧に高速に復帰することが要求されるコモンフィードバック回路において、モード設定や電流設定などの切り替わり時などの過渡的動作時において、前記コンパレータ回路１を構成する差動アンプ回路がリニア動作領域をはずれるほど前記アンプ回路２の出力コモン電圧が所望のある基準電圧から大きくはずれた場合でも、アンプ回路の出力コモン電圧が所望のある基準電圧に高速に復帰することを実現することができる。
【発明を実施するための最良の形態】
【００１２】
以下本発明の一実施形態について、図面を参照しながら説明する。
【００１３】
図１は本発明の一実施形態におけるアンプ回路出力のコモンフィードバック回路を示す図である。
【００１４】
図１において、Ｍ１からＭ１０で構成される１はコンパレータ回路、２はアンプ回路、３は前記コンパレータ回路１を構成する差動アンプ回路の出力部に接続する電流源、４は前記コンパレータ回路１の最終出力部に接続する電流源である。
【００１５】
以上のように構成されたアンプ回路出力のコモンフィードバック回路について説明する。
【００１６】
例えば、前記コンパレータ回路１を構成する差動アンプ回路がリニア動作領域をはずれるほど前記アンプ回路２の出力コモン電圧が所望のある基準電圧から大きくはずれた場合、前記コンパレータ回路１を構成する差動アンプ回路の出力電流Ｉｘはゼロになるが前記コンパレータ回路１を構成する差動アンプ回路の出力部に接続する前記電流源３により前記コンパレータ回路１を構成するカレントミラー回路のトランジスタＭ７には常にある一定以上の電流が流れている。
【００１７】
その為、前記コンパレータ回路１を構成するカレントミラー回路のゲート電位点Ａは、あまり電位変動せず、前記コンパレータ回路１を構成するカレントミラー回路のゲート電位点Ａの復帰にあまり時間を要する必要がない。
【００１８】
また、前記コンパレータ回路１の最終出力部に接続する前記電流源４により、前記コンパレータ回路１を構成する差動アンプ回路の出力部に接続した前記電流源３により流した余分な電流を供給している。
【００１９】
以上の回路動作により前記アンプ回路２の出力コモン電圧が所望のある基準電圧に高速に復帰するを実現することができる。
【産業上の利用可能性】
【００２０】
以上のように本発明は、アンプ回路とコンパレータ回路から構成されるコモンフィ−ドバック回路において、コンパレータ回路を構成する差動アンプ回路の出力部に第１の電流源を追加し、更に前記コンパレータ回路の最終出力部に第２の電流源を追加する。
【００２１】
この構成によって、モード設定や電流設定などの切り替わり時などの過渡的動作時におけるアンプ回路の出力コモン電圧が所望のある基準電圧に高速に復帰することが要求されるコモンフィードバック回路において、コンパレータ回路を構成する差動アンプ回路がリニア動作領域をはずれるほどアンプ回路の出力コモン電圧が所望のある基準電圧から大きくはずれた場合でも、アンプ回路の出力コモン電圧が所望のある基準電圧に高速に復帰することを実現することができる。
【図面の簡単な説明】
【００２２】
【図１】本発明のコモンフィードバック回路を示した図
【図２】従来のコモンフィードバック回路を示した図
【符号の説明】
【００２３】
１  コンパレータ回路
２  アンプ回路
３、４  電流源
【図１】
2006115082.tif 000003
【図２】
2006115082.tif 000004